(57)【要約】【課題】メンテナンスを殆ど必要としない清掃性能に優れた空気調和機のフィルター装置を提供すること。【解決手段】熱交換器を通過する空気中の塵埃を集塵するためのエアフィルター１８と、エアフィルター１８に付着した塵埃を除去するための塵埃除去部材３２と、塵埃除去部材３２により除去された塵埃を収納するための塵埃収納部２０と、塵埃収納部２０に連通自在の吸引装置３８とを設け、塵埃収納部２０に空気流入口３６を設けた。【選択図】図３
2006105591.tif 000002
【特許請求の範囲】
【請求項１】
空気中の塵埃を捕捉するエアフィルターと、該エアフィルターに付着した塵埃を除去する塵埃除去部材と、前記塵埃除去部材により除去された塵埃を収納する塵埃収納部と、前記塵埃収納部に連通する吸引装置とを備え、前記塵埃収納部に空気流入口を設け、さらに駆動手段を有し前記駆動手段によって駆動される塵埃除去部材を設けたことを特徴とする空気調和機のフィルター装置。
【請求項２】
空気流入口は吸引装置の駆動に連動して開閉することを特徴とする請求項１記載の空気調和機のフィルター装置。
【発明の詳細な説明】
【技術分野】
【０００１】
本発明は、室内ユニットの空気吸込口に設けられたエアフィルターを自動的に清掃する空気調和機のフィルター装置に関するものである。
【背景技術】
【０００２】
従来の空気調和機のフィルター装置は、空気調和機の本体内部へ塵埃が侵入することを防ぐためのエアフィルターが熱交換器の前面に設けられており、このエアフィルターは付着した塵埃を手で清掃できるように着脱自在に構成されている。こうした構成のフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下し、消費電力の増大につながることとなる。
【０００３】
このため、エアフィルターのメンテナンスを低減する目的で、エアフィルターに付着した塵埃をブラシで定期的に清掃する自動清掃装置が提案されている（例えば、特許文献１参照）。
【特許文献１】特開２００１−９９４７９号公報
【発明の開示】
【発明が解決しようとする課題】
【０００４】
しかしながら、特許文献１に記載の自動清掃装置は、ある程度の時間が経過するとブラシで掻き落として集めた塵埃を処理する必要があり、メンテナンスの手間が大幅に軽減されるものではなかった。
【０００５】
本発明は、従来技術の有するこのような問題点に鑑みてなされたものであり、メンテナンスを殆ど必要としない清掃性能に優れた空気調和機のフィルター装置を提供することを目的としている。
【課題を解決するための手段】
【０００６】
上記目的を達成するために、本発明は、空気中の塵埃を捕捉するエアフィルターと、該エアフィルターに付着した塵埃を除去する塵埃除去部材と、前記塵埃除去部材により除去された塵埃を収納する塵埃収納部と、前記塵埃収納部に連通する吸引装置とを備え、前記塵埃収納部に空気流入口を設け、さらに駆動手段を有し、前記駆動手段によって駆動される塵埃除去部材を設けたことを特徴とする。
【０００７】
また、本発明は、空気流入口は吸引装置の駆動に連動して開閉することを特徴とする。
【発明の効果】
【０００８】
本発明によれば、エアフィルターに付着した塵埃を塵埃除去部材で塵埃収納部内に掻き落としながら、吸引装置で吸引して集塵装置に集塵もしくは室外へ排出することができるので、メンテナンスを殆ど必要としない。また、塵埃収納部に空気流入口を設けたので、塵埃収納部に掻き落とされた塵埃はすべて吸引装置に吸引された後、廃塵されるので、清掃性能に優れている。
【０００９】
また、塵埃収納部に設けた空気流入口を開閉自在にすると、エアフィルターに付着した塵埃を塵埃除去部材で掻き落とし、塵埃収納部に集めた後、吸引装置で一気に吸引して、集塵装置に集塵もしくは室外へ排出することが可能となる。
【発明を実施するための最良の形態】
【００１０】
以下、本発明の実施の形態について、図面を参照しながら説明する。
【００１１】
図１は本発明にかかる空気調和機の室内ユニットの正面図であり、図２は図１における線ＩＩ−ＩＩに沿った断面図である。
【００１２】
図２に示すように、室内ユニットの本体２の内部には熱交換器４が設けられ、空気の流路となる風流路６が形成されている。風流路６内にはファン８が配設され、本体２の前面から上面に渡り形成される吸込口１０から吸い込み、吹出口１２から吹出す空気の流れを発生させている。また、吸込口１０と熱交換器４との間にはフィルター装置１４が配設されており、本体２に形成された吸込口１０からファン８の動作により空気が吸い込まれ、空気中に漂う塵埃は、フィルター装置１４により取り除かれる。
【００１３】
上述したように、吸込口１０は本体２の前面から上面に渡り形成されていることから、フィルター装置１４は略Ｌ字状に折曲されている。
【００１４】
図３はフィルター装置１４の斜視図であり、図４は図３における線ＩＶ−ＩＶに沿った断面図であり、図５は図３における線Ｖ−Ｖに沿った断面図である。
【００１５】
図３に示すように、フィルター枠１６には、熱交換器４を通過する空気中の塵埃を除去するエアフィルター１８が保持され、エアフィルター１８とフィルター枠１６を挟み込むように塵埃収納部２０が設けられている。塵埃収納部２０はフィルター枠１６の上下端に設置した一対のガイドレール２２に図４に示すようなローラー２４を介して支持されており、左右に摺動自在の構成である。塵埃収納部２０はフィルター枠１６の下部に備えたワイヤー２６と駆動モータ２８により左右に駆動され、ワイヤー２６はガイドレール２２の一端に取り付けられたプーリ３０と駆動モータ２８に取り付けられたプーリ３０に張設されている。
【００１６】
また、塵埃収納部２０は、内部に図４及び図５に示すような塵埃除去部材３２を設けており、下部には吸引口３４を、上部には空気流入口３６を備えている。
【００１７】
さらに、フィルター枠１６の一端には吸引装置３８が設けられており、吸引装置３８の一端側には吸引連通口４０が設けられ、吸引装置３８の他端側には室外へ引き回される排気ダクト４２が連結されている。
【００１８】
上記構成のフィルター装置１４の動作、作用を以下説明する。
【００１９】
フィルター装置１４の動作停止時は、塵埃収納部２０はフィルター枠１６の右端で停止している。
【００２０】
フィルター装置１４を作動させると、塵埃収納部２０は左方向に摺動しながら、内部に設けた塵埃除去部材３２でエアフィルター１８に付着した塵埃を、塵埃除去部材３２がエアフィルター１８と当接することにより掻き落とし、塵埃収納部２０内部に集塵していく。そして、塵埃収納部２０はフィルター枠１６の最左端に到達したときに動作を停止し、塵埃収納部２０に設けた吸引口３４と吸引装置３８に設けた吸引連通口４０が連通される。ここで、吸引装置３８を作動させると、塵埃収納部２０に設けた空気流入口３６から流入する吸引風により、塵埃収納部２０内部に集塵された塵埃は吸引装置３８へと導かれ、排気ダクト４２を通って室外へ排出される。
【００２１】
このようにして、エアフィルター１８に付着した塵埃は自動的に除去される。
【００２２】
なお、本実施の形態では、塵埃収納部２０をフィルター枠１６に沿って左右に摺動させるようにしたが、フィルター枠１６に沿って上下に摺動させてもよい。
【００２３】
また、塵埃収納部２０の空気流入口３６は、吸引口３４に対して最も上流側に設けることが好ましく、この場合、吸引風は塵埃収納部２０内部全域に流入することが可能となり、集塵された塵埃を取り残すこと無く吸引して、室外へ排出することができる。
【００２４】
なお、塵埃収納部２０の空気流入口３６に開閉弁（図示せず）と、この開閉弁を動作させる開閉モータ（図示せず）を設け、空気流入口３６を開閉自在な構成としてもよい。
【００２５】
この場合、空気流入口３６は通常は開閉弁により閉じられており、吸引装置３８の動作と連動して開口する。
【００２６】
この構成は、エアフィルター１８に付着した塵埃を塵埃除去部材３２で掻き落として塵埃収納部２０に集塵した後、吸引装置３８を作動させて集塵した塵埃を一気に吸引して室外に排出することができる。このため、吸引装置３８の稼働時間が短縮できて省エネが図れると共に、騒音発生時間も短縮できるため快適性を向上させることができる。
【産業上の利用可能性】
【００２７】
上述したように、本発明にかかる空気調和機のフィルター装置は、エアフィルターに付着した塵埃を自動的に清掃することができ、メンテナンス性に優れているので、空気清浄機等のように空気中の塵埃を集塵するエアフィルターを装着した機器にも適用できる。
【図面の簡単な説明】
【００２８】
【図１】本発明にかかる空気調和機の室内ユニットの正面図
【図２】図１における線ＩＩ−ＩＩに沿った断面図
【図３】図１の室内ユニットに設けられたフィルター装置の斜視図
【図４】図３における線ＩＶ−ＩＶに沿った断面図
【図５】図３における線Ｖ−Ｖに沿った断面図
【符号の説明】
【００２９】
２    本体
４    熱交換器
６    風流路
８    ファン
１０  吸込口
１２  吹出口
１４  フィルター装置
１６  フィルター枠
１８  エアフィルター
２０  塵埃収納部
２２  ガイドレール
２４  ローラー
２６  ワイヤー
２８  駆動モータ
３０  プーリ
３２  塵埃除去部材
３４  吸引口
３６  空気流入口
３８  吸引装置
４０  吸引連通口
４２  排気ダクト
【図１】
2006105591.tif 000003
【図２】
2006105591.tif 000004
【図３】
2006105591.tif 000005
【図４】
2006105591.tif 000006
【図５】
2006105591.tif 000007